(57)【要約】【課題】通信端末が圏外に存在するときに設定した通信設定情報を記録して、通信端末が圏内に復帰した場合に、自動的に通信制御装置に記録していた通信設定情報を送信する。【解決手段】本発明に係る通信端末は、ユーザが指示した通信設定を示す通信設定情報を取得する通信設定取得部と、通信制御装置との通信の可否を判断する通信可否判断部と、通信設定情報を通信制御装置に送信することにより、通信制御装置に登録させる通信設定情報送信部と、通信制御装置とが通信できないと通信可否判断部が判断した場合に通信設定情報を記録する通信設定情報記録部と、通信設定情報記録部が通信設定情報を記録した後に、通信制御装置とが通信できると通信可否判断部が判断した場合に、記録している通信設定情報を通信設定情報送信部から通信制御装置へ送信させ、通信制御装置に登録させる送信制御部とを備える。【選択図】図９
2008104086.tif 000002
【特許請求の範囲】
【請求項１】
外部の通信制御装置に登録された通信設定に基づいて通信が制御される通信端末であって、
ユーザが指示した当該通信端末の通信設定を示す通信設定情報を取得する通信設定取得部と、
当該通信端末と前記通信制御装置との通信の可否を判断する通信可否判断部と、
当該通信端末と前記通信制御装置とが通信できると前記通信可否判断部が判断した場合に、前記通信設定取得部が取得した通信設定情報を、前記通信制御装置に送信することにより、前記通信制御装置に登録させる通信設定情報送信部と、
当該通信端末と前記通信制御装置とが通信できないと前記通信可否判断部が判断した場合に、前記通信設定取得部が取得した前記通信設定情報を記録する通信設定情報記録部と、
前記通信設定情報記録部が通信設定情報を記録した後に、当該通信端末と前記通信制御装置とが通信できると前記通信可否判断部が判断した場合に、前記通信設定情報記録部が記録している通信設定情報を前記通信設定情報送信部から前記通信制御装置へ送信させることにより、前記通信制御装置に登録させる送信制御部と
を備える通信端末。
【請求項２】
当該通信端末と前記通信制御装置との間の通信を中継する外部の通信中継装置からの電磁波の電界強度を監視する電界強度監視部
をさらに備え、
前記通信可否判断部は、前記電界強度監視部が監視している電界強度が予め定められた基準値を超えた場合に、当該通信端末と前記通信制御装置とが通信できると判断する
請求項１に記載の通信端末。
【請求項３】
前記通信設定情報は、前記ユーザのステータスを示すステータス情報を、当該通信端末の他の通信端末への提供を禁止することを示す禁止情報であり、
前記通信制御装置には、前記他の通信端末を識別する端末識別情報に対応づけて、前記ステータス情報の提供を許可することを示す許可情報、または前記ステータス情報の提供を禁止することを示す禁止情報が登録されており、前記許可情報に対応づけられた前記他の通信端末には前記ステータス情報が送信され、前記禁止情報に対応づけられた前記他の通信端末には前記ステータス情報が送信されず、
前記通信設定取得部は、前記通信制御装置に、前記ユーザが指示した端末識別情報に対応づけて前記禁止情報を登録させることを示す前記通信設定を取得し、
前記通信設定情報送信部は、前記通信設定取得部が取得した通信設定情報を、前記通信制御装置に送信することにより、前記通信制御装置に、前記ユーザが指示した端末識別情報に対応づけて前記禁止情報を登録させる
請求項１に記載の通信端末。
【請求項４】
前記ユーザが当該通信端末の通信設定を指示しているときに、当該通信端末に対する前記ユーザの操作を支援するユーザインターフェース部と、
当該通信端末と前記通信制御装置とが通信できると前記通信可否判断部が判断したときに、前記通信設定情報送信部が前記通信設定情報を前記通信制御装置に送信する場合と、当該通信端末と前記通信制御装置とが通信できないと前記通信可否判断部が判断したときに、前記通信設定情報記録部が前記通信設定情報を記録する場合とで、前記ユーザインターフェース部から前記ユーザに対して同一の通知を行わせるインターフェース制御部と
を更に備える請求項１に記載の通信端末。
【請求項５】
前記ユーザインターフェース部は、
当該通信端末に対する前記ユーザの操作を支援する内容を表示する表示部
を有し、
前記インターフェース制御部は、当該通信端末と前記通信制御装置とが通信できると前記通信可否判断部が判断したときに、前記通信設定情報送信部が前記通信設定情報を前記通信制御装置に送信した場合と、当該通信端末と前記通信制御装置とが通信できないと前記通信可否判断部が判断したときに、前記通信設定情報記録部が前記通信設定情報を記録した場合とで、前記表示部に同一の表示データを表示させる請求項４に記載の通信端末。
【請求項６】
外部の通信制御装置に登録された通信設定に基づいて通信端末の通信を制御する通信方法であって、
ユーザが指示した当該通信端末の通信設定を示す通信設定情報を取得する通信設定取得段階と、
当該通信端末と前記通信制御装置との通信の可否を判断する通信可否判断段階と、
当該通信端末と前記通信制御装置とが通信できると前記通信可否判断段階において判断された場合に、前記通信設定取得段階において取得された通信設定情報を、通信設定情報送信部から前記通信制御装置に送信することにより、前記通信制御装置に登録させる通信設定情報送信段階と、
当該通信端末と前記通信制御装置とが通信できないと前記通信可否判断段階において判断された場合に、前記通信設定取得段階において取得された前記通信設定情報を記録する通信設定情報記録段階と、
前記通信設定情報記録段階において通信設定情報が記録された後に、当該通信端末と前記通信制御装置とが通信できると前記通信可否判断段階において判断された場合に、前記通信設定情報記録段階において記録された通信設定情報を、通信設定情報送信部から前記通信制御装置へ送信することにより、前記通信制御装置に登録させる送信制御段階と
を備える通信方法。
【請求項７】
外部の通信制御装置に登録された通信設定に基づいて通信が制御される通信端末用の通信プログラムであって、前記通信端末を、
ユーザが指示した当該通信端末の通信設定を示す通信設定情報を取得する通信設定取得部、
当該通信端末と前記通信制御装置との通信の可否を判断する通信可否判断部、
当該通信端末と前記通信制御装置とが通信できると前記通信可否判断部が判断した場合に、前記通信設定取得部が取得した通信設定情報を、前記通信制御装置に送信することにより、前記通信制御装置に登録させる通信設定情報送信部、
当該通信端末と前記通信制御装置とが通信できないと前記通信可否判断部が判断した場合に、前記通信設定取得部が取得した前記通信設定情報を記録する通信設定情報記録部、
前記通信設定情報記録部が通信設定情報を記録した後に、当該通信端末と前記通信制御装置とが通信できると前記通信可否判断部が判断した場合に、前記通信設定情報記録部が記録している通信設定情報を前記通信設定情報送信部から前記通信制御装置へ送信させることにより、前記通信制御装置に登録させる送信制御部
として機能させる通信プログラム。
【発明の詳細な説明】
【技術分野】
【０００１】
本発明は、通信端末、通信方法、および通信プログラムに関する。特に、本発明は、外部の通信制御装置に登録された通信設定に基づいて通信が制御される通信端末、通信方法、および通信プログラムに関する。
【背景技術】
【０００２】
通信端末の現在の状態を示す状態情報（例えば、プレゼンス情報）の参照を要求してきた通信相手の通信端末の発信者番号が、通信端末の電話帳に登録されている電話番号であるか否かを判断して、電話帳に登録されていない通信相手の通信端末からの要求は拒否する通信端末について提案されている。
【特許文献１】特開２００１−２７４８７５号公報
【発明の開示】
【発明が解決しようとする課題】
【０００３】
しかしながら、特許文献１に記載の発明においては、電話帳に登録されていない通信相手の通信端末からのプレゼンス情報の参照要求を拒否し続ける一方で、電話帳に登録されている通信相手の通信端末からの参照要求は全て受け入れる。したがって、特許文献１に記載の発明においては、プレゼンス情報を提供してもよい通信相手の通信端末であっても、電話帳に電話番号が登録されていない限り、通信端末からプレゼンス情報を取得することができない。更に、特許文献１に記載の発明においては、通信端末が圏外に存在する場合に通信相手の通信端末からの状態情報の参照要求を拒否する設定を、サーバに対してすることができない。
【０００４】
そこで本発明は、上記課題を解決することができる通信端末、通信方法、および通信プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、外部の通信制御装置に登録された通信設定に基づいて通信が制御される通信端末であって、ユーザが指示した当該通信端末の通信設定を示す通信設定情報を取得する通信設定取得部と、当該通信端末と通信制御装置との通信の可否を判断する通信可否判断部と、当該通信端末と通信制御装置とが通信できると通信可否判断部が判断した場合に、通信設定取得部が取得した通信設定情報を、通信制御装置に送信することにより、通信制御装置に登録させる通信設定情報送信部と、当該通信端末と通信制御装置とが通信できないと通信可否判断部が判断した場合に、通信設定取得部が取得した通信設定情報を記録する通信設定情報記録部と、通信設定情報記録部が通信設定情報を記録した後に、当該通信端末と通信制御装置とが通信できると通信可否判断部が判断した場合に、通信設定情報記録部が記録している通信設定情報を通信設定情報送信部から通信制御装置へ送信させることにより、通信制御装置に登録させる送信制御部とを備える。
【０００６】
また、本発明の第２の形態においては、外部の通信制御装置に登録された通信設定に基づいて通信端末の通信を制御する通信方法であって、ユーザが指示した当該通信端末の通信設定を示す通信設定情報を取得する通信設定取得段階と、当該通信端末と通信制御装置との通信の可否を判断する通信可否判断段階と、当該通信端末と通信制御装置とが通信できると通信可否判断段階において判断された場合に、通信設定取得段階において取得された通信設定情報を、通信設定情報送信部から通信制御装置に送信することにより、通信制御装置に登録させる通信設定情報送信段階と、当該通信端末と通信制御装置とが通信できないと通信可否判断段階において判断された場合に、通信設定取得段階において取得された通信設定情報を記録する通信設定情報記録段階と、通信設定情報記録段階において通信設定情報が記録された後に、当該通信端末と通信制御装置とが通信できると通信可否判断段階において判断された場合に、通信設定情報記録段階において記録された通信設定情報を、通信設定情報送信部から通信制御装置へ送信することにより、通信制御装置に登録させる送信制御段階とを備える。
【０００７】
また、本発明の第３の形態においては、外部の通信制御装置に登録された通信設定に基づいて通信が制御される通信端末用の通信プログラムであって、通信端末を、ユーザが指示した当該通信端末の通信設定を示す通信設定情報を取得する通信設定取得部、当該通信端末と通信制御装置との通信の可否を判断する通信可否判断部、当該通信端末と通信制御装置とが通信できると通信可否判断部が判断した場合に、通信設定取得部が取得した通信設定情報を、通信制御装置に送信することにより、通信制御装置に登録させる通信設定情報送信部、当該通信端末と通信制御装置とが通信できないと通信可否判断部が判断した場合に、通信設定取得部が取得した通信設定情報を記録する通信設定情報記録部、通信設定情報記録部が通信設定情報を記録した後に、当該通信端末と通信制御装置とが通信できると通信可否判断部が判断した場合に、通信設定情報記録部が記録している通信設定情報を通信設定情報送信部から通信制御装置へ送信させることにより、通信制御装置に登録させる送信制御部として機能させる。
【０００８】
なお、上記の発明の概要は、本発明の必要な特徴の全てを列挙したものではなく、これらの特徴群のサブコンビネーションもまた、発明となりうる。
【発明の効果】
【０００９】
本発明によれば、通信端末が圏外に存在するときに、ユーザが通信端末において設定した通信設定情報を記録して、通信端末が圏内に復帰した場合に、自動的に通信制御装置に記録していた通信設定情報を送信することができる。
【発明を実施するための最良の形態】
【００１０】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１１】
図１は、本発明の一実施形態に係る通信制御装置２０の概要を示す。通信制御装置２０は、複数の通信端末１０のそれぞれのユーザのステータスを示すステータス情報、例えば、ユーザの現在の状況を示すプレゼンス情報を、登録された複数の通信端末１０に提供する。通信制御装置２０は、一の通信端末１０を識別する端末識別情報に対応づけて、当該一の通信端末１０のプレゼンス情報の提供が許可されている他の通信端末１０の端末識別情報を記録するコンタクトリストと、当該一の通信端末１０を識別する端末識別情報に対応づけて、当該一の通信端末１０のプレゼンス情報の提供が禁止されている他の通信端末１０の端末識別情報を記録するブロックリストとを備える。通信制御装置２０は、例えば、ＳＩＰサーバ２２および／またはプレゼンスサーバ２４であり、また、通信制御装置２０が備える構成および機能の一部または全部を備えた、通信端末１０である。
【００１２】
本実施形態に係る通信制御装置２０は、一度、プレゼンス情報の提供を拒否した通信相手の通信端末１０から、予め定められた時間内にプレゼンス情報の提供の要求を再度受けた場合であっても、当該予め定められた時間内においては、当該要求を自動的に拒否することを目的とする。
【００１３】
まず、通信端末１０（Ｂ）は、通信端末１０（Ａ）のプレゼンス情報の参照を可能とすべく、プレゼンスサーバ２４が備える通信端末１０（Ａ）のコンタクトリストへの登録要求を、ネットワーク４０を介してプレゼンスサーバ２４に送信する（Ｓ１００）。プレゼンスサーバ２４は、受信した通信端末１０（Ｂ）を識別する端末識別情報、例えば、通信端末１０（Ｂ）の電話番号が、通信端末１０（Ａ）を識別する端末識別子に対応づけてブロックリストに記録されていないと判断した場合には、通信端末１０（Ｂ）が送信した登録要求を通信端末１０（Ａ）に通知する（Ｓ１０２）。
【００１４】
通信端末１０（Ａ）は、通信端末１０（Ｂ）から登録要求を受信した場合、表示部１７２に登録要求を受信したことを示すテキストデータを表示して、通信端末１０（Ａ）のユーザに、通信端末１０（Ｂ）からの登録要求を受け付けるか否かを選択させる。例えば、通信端末１０（Ｂ）は、通信端末１０（Ｂ）が備える表示部１７２に"Ｂさんから登録要求通知がきています。登録しますか？"というテキストを表示させるとともに、登録要求を受け入れることをユーザに選択させるアイコン４００、および登録を拒否することをユーザに選択させるアイコン４１０を表示する。
【００１５】
ユーザがアイコン４００を選択した場合には、通信端末１０（Ａ）は、通信端末１０（Ｂ）からの登録要求を受け入れることを示す情報をプレゼンスサーバ２４に送信して、プレゼンスサーバ２４が備えるコンタクトリストに、通信端末１０（Ａ）の端末識別情報に対応づけて通信端末１０（Ｂ）の端末識別情報を記録させる。そして、プレゼンスサーバ２４は、通信端末１０（Ｂ）の端末識別情報を通信端末１０（Ａ）の端末識別情報に対応づけてコンタクトリストに記録した後、通信端末１０（Ｂ）にコンタクトリストへの記録が完了したことを示す登録完了通知を通知する（Ｓ１０６）。これにより、通信端末１０（Ｂ）は、通信端末１０（Ａ）のプレゼンス情報を参照することができ、また、ＳＩＰサーバ２２に働きかけて（Ｓ１０５）、半二重のＰｕｓｈ−Ｔｏ−Ｔａｌｋ（ＰＴＴ）通信方式による通信をすることもできる。
【００１６】
一方、ユーザがアイコン４１０を選択した場合には、通信端末１０（Ａ）は、通信端末１０（Ｂ）からの登録要求を拒否することを示す情報をプレゼンスサーバ２４に送信する。そして、通信端末１０（Ａ）は、プレゼンスサーバ２４が備えるブロックリストに、通信端末１０（Ａ）の端末識別情報に対応づけて通信端末１０（Ｂ）の端末識別情報を記録させる。そして、プレゼンスサーバ２４は、通信端末１０（Ｂ）の端末識別情報を、通信端末１０（Ａ）の端末識別情報に対応づけてブロックリストに記録した後、通信端末１０（Ｂ）にコンタクトリストへの記録ができなかったことを示す拒否通知を通知する（Ｓ１０６）。
【００１７】
係る場合において、プレゼンスサーバ２４は、通信端末１０（Ｂ）の端末識別情報をブロックリストに記録したときから予め定められた時間（例えば、７２時間）が経過するまで、ブロックリストに通信端末１０（Ｂ）の端末識別情報を記録しておく。そして、プレゼンスサーバ２４は、当該予め定められた時間内に通信端末１０（Ｂ）から再度、通信端末１０（Ａ）のコンタクトリストへの登録要求を受信した場合には（Ｓ１０８）、当該登録要求を通信端末１０（Ａ）に通知せず、通信端末１０（Ｂ）に拒否通知を通知する（Ｓ１０７）。そして、プレゼンスサーバ２４は、予め定められた時間が経過した後に、ブロックリストに記録した通信端末１０（Ｂ）の端末識別情報を消去する。続いて、通信制御装置２０は、通信端末１０（Ｂ）から再度、通信端末１０（Ａ）のコンタクトリストへの登録要求を受信した場合には、当該登録要求を通信端末１０（Ａ）に通知して、通信端末１０（Ａ）のユーザに、通信端末１０（Ｂ）からの登録要求を受け付けるか否かを再び選択させる。
【００１８】
また、通信端末１０（Ａ）がブロックリストを備えていてもよい。例えば、通信端末１０（Ａ）が通信端末１０（Ｂ）からコンタクトリストへの登録要求を受信する。そして、通信端末１０（Ａ）は、通信端末１０（Ａ）が備えるブロックリストに通信端末１０（Ｂ）の端末識別情報が記録されている場合に、通信端末１０（Ａ）のユーザに通信端末１０（Ｂ）からコンタクトリストへの登録要求を受信したことを通知せずに、通信端末１０（Ｂ）に拒否通知を通知する。続いて、通信端末１０（Ａ）は、ブロックリストに通信端末１０（Ｂ）の端末識別情報を記録してから予め定められた時間が経過した後には、ブロックリストから通信端末１０（Ｂ）の端末識別情報を消去する。そして、通信端末１０（Ａ）は、通信端末１０（Ｂ）から再度、登録要求を受信した場合には、通信端末１０（Ａ）のユーザに、通信端末１０（Ｂ）からの登録要求を受け付けるか否かを選択させる。
【００１９】
本実施形態に係る通信制御装置２０によれば、一の通信端末１０のコンタクトリストへの他の通信端末１０からの登録要求を禁止することを示す情報を、当該他の通信端末１０の端末識別情報に対応づけて記録するブロックリストを備えるので、一の通信端末１０において一度登録要求を拒否した場合には、通信制御装置２０において自動的に当該他の通信端末１０からの登録要求を拒否できる。これにより、一の通信端末１０のユーザは、煩雑な操作を当該一の通信端末１０に施すことなしに、登録要求の受信を所望しない他の通信端末１０からの登録要求を無視することができる。
【００２０】
また、本実施形態に係る通信制御装置２０が備えるブロックリストの構成および機能の一部または全部を通信端末１０が備えることによって、通信端末１０においても、自動的に登録要求の受信を所望しない他の通信端末１０からの登録要求を無視することができる。更に、本実施形態に係る通信制御装置２０によれば、一度ブロックリストに端末識別情報を記録した場合であっても、予め定められた時間が経過した後に、記録した端末識別情報を消去できる。これにより、ブロックリストに端末識別情報を誤って記録した場合であっても、予め定められた時間が経過した後に、再び登録要求を受け入れるか否かを、ユーザに選択させることができる。
【００２１】
図２は、本実施形態に係る通信制御装置２０の機能構成の一例を示す。通信制御装置２０は、第１通信端末のユーザのステータスを示すステータス情報を、第１通信端末の他の登録された通信端末（例えば、第２通信端末）に提供する。ここで、請求項に記載の第１通信端末および第２通信端末は、図１の上記説明における通信端末１０の一例である。通信制御装置２０は、提供要求受信部２００、応答選択制御部２１０、登録情報記録部２２０、応答通知部２３０、応答取得部２４０、通知制御部２５０、禁止情報消去部２６０、および時間計測部２７０を備え、登録情報記録部２２０は、禁止情報記録部２２２および許可情報記録部２２４を有する。なお、第１通信端末は、通信制御装置２０の構成および機能の一部または全部を備えており、第１通信端末においても通信制御装置２０と略同一の機能が発揮される。
【００２２】
提供要求受信部２００は、ステータス情報の提供を要求する要求情報を、第２通信端末から受信する。要求情報は、許可情報記録部２２４へ端末識別情報を記録することを要求する登録要求である。許可情報記録部２２４は、第１通信端末とは異なる他の通信端末１０の端末識別情報に対応づけて、第１通信端末のステータス情報の提供が許可されていることを示す許可情報を記録する。許可情報記録部２２４は、例えば、通信端末１０のプレゼンス情報の提供を受けることができる他の通信端末１０を識別する端末識別情報を記録するコンタクトリストである。提供要求受信部２００は、受信した要求情報と当該要求情報を送信した第２通信端末の端末識別情報とを、登録情報記録部２２０に供給する。また、提供要求受信部２００は、第２通信端末から要求情報を受信したことを示す情報を、応答選択制御部２１０および通知制御部２５０に供給する。
【００２３】
登録情報記録部２２０は、第２通信端末へのステータス情報の提供を禁止することを示す禁止情報を記録する。具体的には、登録情報記録部２２０が有する禁止情報記録部２２２が、禁止情報を第２通信端末の端末識別情報に対応づけて記録する。より具体的には、禁止情報記録部２２２は、第１通信端末のユーザが指定した端末識別情報に対応づけて禁止情報を記録する。また、禁止情報記録部２２２は、複数の他の通信端末１０をそれぞれ識別する複数の端末識別情報のそれぞれに対応づけて、端末識別情報で識別される他の通信端末１０のステータス情報の提供を禁止することを示す禁止情報を記録する。
【００２４】
また、禁止情報記録部２２２は、ユーザの指示に応じて、禁止情報を第２通信端末の端末識別情報に対応づけて記録する。具体的には、禁止情報記録部２２２は、提供要求受信部２００が受信した要求情報に対して、ユーザが当該要求情報を拒否した場合に、禁止情報を第２通信端末の端末識別情報に対応づけて記録する。例えば、通信制御装置２０がプレゼンスサーバ２４および／またはＳＩＰサーバ２２である場合には、通信制御装置２０は、提供要求受信部２００が受信した要求情報を通信端末１０に通知する提供要求通知部を更に備えていてよい。そして、提供要求通知部が通知した要求情報を、通信端末１０は当該通信端末１０のユーザに通知する。
【００２５】
続いて、通信端末１０は、当該通信端末１０のユーザに、提供要求通知部が通知した要求情報を受け入れるか否かを選択させる。具体的には、通信端末１０が備える応答選択部が、当該要求情報を受け入れるか否かをユーザに選択させる。通信端末１０は、当該要求情報を受け入れないことを応答選択部が選択した場合に、禁止情報を通信制御装置２０に送信する。そして、通信制御装置２０が備える応答取得部２４０は、通信端末１０から禁止情報を取得する。応答取得部２４０は、通信端末１０から受信した禁止情報を、禁止情報記録部２２２に記録する。また、応答取得部２４０は、禁止情報を禁止情報記録部２２２に記録したことを示す情報を応答通知部２３０に供給する。
【００２６】
また、通信制御装置２０が通信端末１０である場合においても、通信制御装置２０は、提供要求受信部２００が受信した要求情報をユーザに通知する提供要求通知部を更に備えてよい。そして、提供要求通知部が通知した要求情報に応じて、応答取得部２４０は、ユーザに当該要求情報を受け入れるか否か選択させる。応答取得部２４０が、当該要求情報を受け入れないことを示す情報をユーザから取得した場合に、応答取得部２４０は、禁止情報を禁止情報記録部２２２に記録する。禁止情報記録部２２２は、禁止情報を記録したことを示す情報を通知制御部２５０および時間計測部２７０に供給する。
【００２７】
時間計測部２７０は、登録情報記録部２２０が禁止情報を記録したときから予め定められた時間を計測する。具体的には、時間計測部２７０は、登録情報記録部２２０から禁止情報を記録したことを示す情報を受け取ったときから、予め定められた時間の計測を開始する。そして、時間計測部２７０は、予め定められた時間が経過した時点で時間の計測を終了する。時間計測部２７０は、登録情報記録部２２０が複数の禁止情報を記録した場合には、複数の禁止情報のそれぞれについて、予め定められた時間を計測する。時間計測部２７０は、予め定められた時間の計測を開始したことを示す情報、および予め定められた時間の計測を終了したことを示す情報を応答選択制御部２１０、通知制御部２５０、および禁止情報消去部２６０に供給する。
【００２８】
禁止情報消去部２６０は、登録情報記録部２２０が禁止情報を記録してから予め定められた時間が経過したときに、登録情報記録部２２０が記録している禁止情報を消去する。また、禁止情報消去部２６０は、登録情報記録部２２０が新たな他の通信端末１０についての禁止情報を記録すべきときに、登録情報記録部２２０が記録することが可能な数の禁止情報を既に記録している場合、登録情報記録部２２０が記録している禁止情報のうちで、登録情報記録部２２０が記録してから最も長い時間を経過している禁止情報を消去する。そして、禁止情報消去部２６０は、新たな他の通信端末１０についての禁止情報を登録情報記録部２２０に記録させる。係る場合において、禁止情報記録部２２２は、記録していた禁止情報が禁止情報消去部２６０によって消去されたことを示す情報を応答選択制御部２１０に供給する。
【００２９】
また、登録情報記録部２２０は、第２通信端末へのステータス情報の提供を許可することを示す許可情報を記録する。具体的には、登録情報記録部２２０が有する許可情報記録部２２４が、許可情報を第２通信端末の端末識別情報に対応づけて記録する。より具体的には、許可情報記録部２２４は、第１通信端末のユーザが指定した端末識別情報に対応づけて許可情報を記録する。また、許可情報記録部２２４は、複数の他の通信端末１０をそれぞれ識別する複数の端末識別情報のそれぞれに対応づけて、端末識別情報で識別される他の通信端末１０へのステータス情報の提供を許可することを示す許可情報を記録する。
【００３０】
応答通知部２３０は、通知制御部２５０に制御されて、登録情報記録部２２０が禁止情報を記録してから予め定められた時間が経過する前に、提供要求受信部２００が第２通信端末から要求情報を受信した場合に、第２通信端末がステータス情報の提供を受けることができないことを第２通信端末に通知する。具体的には、応答通知部２３０は、提供要求受信部２００が受信した要求情報に応じて、ステータス情報の提供を禁止することを第１通信端末のユーザが選択した場合に、第２通信端末がステータス情報の提供を受けることができないことを第２通信端末に通知する。なお、応答通知部２３０は、応答取得部２４０から禁止情報を禁止情報記録部２２２に記録したことを示す情報を受け取った場合に、ステータス情報の提供を禁止することを第１通信端末のユーザが選択したと判断して、第２通信端末がステータス情報の提供を受けることができないことを第２通信端末に通知する。
【００３１】
また、応答通知部２３０は、提供要求受信部２００が受信した要求情報に応じて、第１通信端末のユーザがステータス情報の提供を禁止することを選択した場合に、通知制御部２５０に制御されて、ステータス情報の提供が拒否されたことを第２通信端末に通知する。そして、応答通知部２３０は、提供要求受信部２００が受信した要求情報に対して第１通信端末のユーザからの応答がない場合に、第１通信端末のユーザからの応答がないことを第２通信端末に通知する。更に、応答通知部２３０は、登録情報記録部２２０に禁止情報が記録されている場合に、第１通信端末のユーザからの応答がないことを第２通信端末に通知する。すなわち、応答通知部２３０は、第２通信端末に、第２通信端末が要求した要求情報に対して第１通信端末のユーザから応答がない場合と、当該要求情報に対して第１通信端末のユーザが拒否した場合とで同一の内容を示す、第１通信端末のユーザからの応答がないことを第２通信端末に通知する。
【００３２】
これにより、第１通信端末が登録要求を拒否したのか、あるいは第１通信端末が当該登録要求に応答できない状態であるのかにかかわらず、第２通信端末のユーザには、登録要求が許可されなかったことを示す同一の予め定められたメッセージが通知される。したがって、第２通信端末のユーザが、第１通信端末に登録要求が拒否されたときに負の感情を抱くことを防止できる。
【００３３】
応答選択制御部２１０は、登録情報記録部２２０が禁止情報を記録してから予め定められた時間が経過した後に、提供要求受信部２００が第２通信端末から要求情報を受信した場合に、第２通信端末へのステータス情報の提供を禁止するか否かを、第１通信端末のユーザに選択させる。例えば、応答選択制御部２１０は、通信制御装置２０がプレゼンスサーバ２４および／またはＳＩＰサーバ２２である場合には、要求情報を第１通信端末に送信して、第２通信端末へのステータス情報の提供を禁止するか否かを、第１通信端末のユーザに選択させる。また、応答選択制御部２１０は、登録情報記録部２２０が記録している禁止情報を禁止情報消去部２６０が消去した後に、提供要求受信部２００が第２通信端末から要求情報を受信した場合に、第２通信端末へのステータス情報の提供を禁止するか否かを、第１通信端末のユーザに選択させる。応答選択制御部２１０は、第１通信端末のユーザが要求情報を受け入れた場合に許可情報を許可情報記録部２２４に記録する。また、応答選択制御部２１０は、第１通信端末のユーザが要求情報を受け入れない場合に禁止情報を禁止情報記録部２２２に記録する。
【００３４】
また、通信制御装置２０がプレゼンスサーバ２４および／またはＳＩＰサーバ２２である場合には、応答選択制御部２１０は、要求情報を第１通信端末に送信して、第２通信端末へのステータス情報の提供を禁止するか否かを、第１通信端末のユーザに選択させる。そして、登録情報記録部２２０は、提供要求受信部２００が受信した要求情報に応じて、第２通信端末へのステータス情報の提供を禁止することを第１通信端末のユーザが選択した場合に、禁止情報を再度記録する。そして、応答通知部２３０は、登録情報記録部２２０が禁止情報を再度記録してから予め定められた時間が経過する前に、提供要求受信部２００が第２通信端末から要求情報を受信した場合に、第２通信端末がステータス情報の提供を受けることができないことを第２通信端末に通知する。
【００３５】
通知制御部２５０は、登録情報記録部２２０が禁止情報を記録してから予め定められた時間が経過する前に、提供要求受信部２００が第２通信端末から要求情報を受信した場合、第２通信端末へのステータス情報の提供を禁止するか否かを、第１通信端末のユーザに選択させることなく、応答通知部２３０に第２通信端末がステータス情報の提供を受けることができないことを第２通信端末に通知させる。また、通信制御装置２０がプレゼンスサーバ２４および／またはＳＩＰサーバ２２である場合には、要求情報を第１通信端末に通知せずに、応答通知部２３０に第２通信端末がステータス情報の提供を受けることができないことを第２通信端末に通知させる。
【００３６】
なお、通信制御装置２０が通信端末１０である場合には、登録情報記録部２２０は、通信端末１０の端末識別情報に対応づけて、当該通信端末１０のユーザを示すユーザ情報を記録する、電話帳を有していてよい。係る場合において、通信端末１０は、提供要求受信部２００が第２通信端末から要求情報を受信した場合に、要求情報を送信した第２通信端末の端末識別情報が電話帳に記録されている場合には、第２通信端末のユーザ情報を通信端末１０のユーザに通知する。一方、第２通信端末の端末識別情報が電話帳に記録されていない場合には、通信端末１０のユーザに第２通信端末の端末識別情報を通知する。なお、ユーザ情報は、例えば、ユーザの氏名若しくは名称を示すテキストデータであり、また、ユーザに予め対応づけられた画像データ等である。
【００３７】
本実施形態に係る通信制御装置２０によれば、第１通信端末のステータス情報の提供を禁止することを示す禁止情報を、第２通信端末の端末識別情報に対応づけて記録できるので、第１通信端末において一度登録要求を拒否した場合には、通信制御装置２０において自動的に第２通信端末からの登録要求を拒否できる。これにより、第１通信端末のユーザが一度登録要求の受信を所望しない第２通信端末を指定するだけで、煩雑な操作を当該ユーザに要求せずに、第２通信端末からの登録要求を自動的に拒否できる。
【００３８】
また、本実施形態に係る通信制御装置２０が通信端末１０である場合には、通信端末１０自身が、第２通信端末からの登録要求を自動的に拒否できる。更に、本実施形態に係る通信制御装置２０によれば、一度禁止情報を記録した場合であっても、予め定められた時間が経過した後に、記録した禁止情報を消去できる。これにより、禁止情報を誤って記録した場合であっても、再び登録要求を受け入れるか否かを、ユーザに選択させる機会を与えることができる。
【００３９】
図３は、本実施形態に係る禁止情報記録部２２２のデータ構造の一例を示す。禁止情報記録部２２２は、複数の通信端末１０のそれぞれを識別する通信端末識別情報に対応づけて、当該複数の通信端末１０の他の通信端末１０のステータス情報の提供が禁止されていることを示す禁止情報を記録する。禁止情報記録部２２２は、複数の通信端末１０のそれぞれごとに対応づけて、当該複数の通信端末１０のステータス情報の提供が禁止されている通信端末１０の通信端末識別情報を記録してもよい。なお、通信端末識別情報は、図１から図２の上記説明における端末識別情報の一例であり、例えば、電話番号である。
【００４０】
また、禁止情報記録部２２２は、通信端末識別情報に対応づけて禁止情報を記録した記録日時を更に格納してもよい。禁止情報消去部２６０は、禁止情報記録部２２２が記録することが可能な数の禁止情報を既に記録している場合に、禁止情報記録部２２２が記録した記録日時を読み取って、禁止情報記録部２２２が記録してから最も長い時間を経過している禁止情報を消去する。
【００４１】
図４は、本実施形態に係る通信端末１０および通信制御装置２０における処理の流れの一例を示す。まず、通信端末１０（Ａ）は、通信端末１０（Ｂ）に対してコンタクトリストの登録要求を送信する（Ｓ４００）。例えば、通信端末１０（Ａ）は、ＸＣＡＰ  ＰＵＴ−２００ＯＫメッセージ（ＡＵＩＤ＝ｒｅｓｏｕｒｃｅ−ｌｉｓｔｓ  Ａｄｄ  Ｂ）を通信端末１０（Ａ）側の通信制御装置２０（Ａ）に送信する（Ｓ４０５）。通信制御装置２０（Ａ）は、例えば、通信端末１０（Ａ）側のプレゼンスサーバ２４である。そして、通信制御装置２０（Ａ）は、ＳＵＢＳＣＲＩＢＥ−２０２Ａｃｃｅｐｔｅｄメッセージ（Ｐｒｅｓｅｎｃｅ）を通信端末１０（Ｂ）側の通信制御装置２０（Ｂ）に送信する（Ｓ４１０）。
【００４２】
続いて、通信制御装置２０（Ｂ）は、通信制御装置２０（Ａ）から受信したＳＵＢＳＣＲＩＢＥ−２０２Ａｃｃｅｐｔｅｄメッセージに応じてＮＯＴＩＦＹ−２００ＯＫメッセージ（（ｗｉｎｆｏ）ｓｔａｔｅ＝ｐｅｎｄｉｎｇ）を通信端末１０（Ｂ）に送信する（Ｓ４１５）。通信端末１０（Ｂ）は、受信したＮＯＴＩＦＹ−２００ＯＫメッセージに応じて、通信端末１０（Ｂ）のユーザに登録要求通知する（Ｓ４２０）。通信端末１０（Ｂ）のユーザが、当該登録要求に対して、通信端末１０（Ａ）からの登録要求を拒否することを選択した場合、すなわち、"Ｎｏ"を選択した場合（Ｓ４２５）には、通信端末１０（Ｂ）は、ＸＣＡＰ  ＰＵＴ−２００ＯＫメッセージ（ＡＵＩＤ＝ｐｒｅｓ−ｒｕｌｅｓ、Ａ'ｓ"ｓｕｂ−ｈａｎｄｌｉｎｇ"＝"ｂｌｏｃｋ"）を、通信制御装置２０（Ｂ）に送信する（Ｓ４４０）。
【００４３】
通信制御装置２０（Ｂ）は、ＳＵＢＳＣＲＩＢＥ−２０２Ａｃｃｅｐｔｅｄメッセージを受信した後（Ｓ４１０）、通信制御装置２０（Ａ）に対して、ＮＯＴＩＦＹ−２００ＯＫメッセージ（（ｐｒｅｓｅｎｃｅ）ｓｔａｔｅ＝ｐｅｎｄｉｎｇ）を送信する（Ｓ４３０）。そして、通信制御装置２０（Ａ）は、ＮＯＴＩＦＹ−２００ＯＫメッセージを受信した後（Ｓ４３０）、ＮＯＴＩＦＹ−２００ＯＫメッセージ（（ｅｖｅｎｔｌｉｓｔ）ｓｔａｔｅ＝ｐｅｎｄｉｎｇ）を通信端末１０（Ａ）に送信する（Ｓ４３５）。続いて、通信制御装置２０（Ｂ）は、通信端末１０（Ｂ）から、ＸＣＡＰ  ＰＵＴ−２００ＯＫメッセージを受信した後（Ｓ４４０）、通信制御装置２０（Ａ）に対してＮＯＴＩＦＹ−２００ＯＫメッセージ（（ｐｒｅｓｅｎｃｅ）ｓｔａｔｅ＝ｔｅｒｍｉｎａｔｅｄ、ｒｅａｓｏｎ＝ｒｅｊｅｃｔ）を通信制御装置２０（Ａ）に送信する（Ｓ４４５）。
【００４４】
通信制御装置２０（Ａ）は、ＮＯＴＩＦＹ−２００ＯＫメッセージを受信した後（Ｓ４４５）、通信端末１０（Ａ）にＮＯＴＩＦＹ−２００ＯＫメッセージ（（ｅｖｅｎｔｌｉｓｔ）ｓｔａｔｅ＝ｔｅｒｍｉｎａｔｅｄ、ｒｅａｓｏｎ＝ｒｅｊｅｃｔ）を送信する（Ｓ４５０）。そして、通信端末１０（Ａ）は、通信制御装置２０（Ａ）に、ＸＣＡＰ  ＰＵＴ−２００ＯＫメッセージ（ＡＵＩＤ＝ｒｅｓｏｕｒｃｅ−ｌｉｓｔｓ  Ｄｅｌｅｔｅ  Ｂ）を送信する（Ｓ４５５）。続いて、通信端末１０（Ａ）は、通信端末１０（Ａ）のユーザに無視応答通知をして、通信端末１０（Ｂ）のプレゼンス情報を参照することができないことを通知する（Ｓ４６０）。
【００４５】
図５は、本実施形態に係る通信端末１０および通信制御装置２０における処理の流れの一例を示す。まず、通信端末１０（Ａ）は、通信端末１０（Ｂ）に対してコンタクトリストの登録要求を送信する（Ｓ５００）。通信端末１０（Ａ）は、ＸＣＡＰ  ＰＵＴ−２００ＯＫメッセージ（ＡＵＩＤ＝ｒｅｓｏｕｒｃｅ−ｌｉｓｔｓ  Ａｄｄ  Ｂ）を通信端末１０（Ａ）側の通信制御装置２０（Ａ）に送信する（Ｓ５０５）。そして、通信制御装置２０（Ａ）は、ＳＵＢＳＣＲＩＢＥ−２０２Ａｃｃｅｐｔｅｄメッセージ（Ｐｒｅｓｅｎｃｅ）を通信端末１０（Ｂ）側の通信制御装置２０（Ｂ）に送信する（Ｓ５１０）。続いて、通信制御装置２０（Ｂ）は、通信制御装置２０（Ａ）から受信したＳＵＢＳＣＲＩＢＥ−２０２Ａｃｃｅｐｔｅｄメッセージに応じてＮＯＴＩＦＹ−２００ＯＫメッセージ（（ｗｉｎｆｏ）ｓｔａｔｅ＝ｐｅｎｄｉｎｇ）を通信端末１０（Ｂ）に送信する（Ｓ５１５）。通信端末１０（Ｂ）は、受信したＮＯＴＩＦＹ−２００ＯＫメッセージに応じて、通信端末１０（Ｂ）のユーザに登録要求通知する（Ｓ５２０）。
【００４６】
通信端末１０（Ｂ）のユーザが、当該登録要求に対して、通信端末１０（Ａ）からの登録要求を許可することを選択した場合、すなわち、"Ｙｅｓ"を選択した場合（Ｓ５２５）には、通信端末１０（Ｂ）は、ＸＣＡＰ  ＰＵＴ−２００ＯＫメッセージ（ＡＵＩＤ＝ｒｅｓｏｕｒｃｅ−ｌｉｓｔｓ  Ａｄｄ  Ａ）を、通信制御装置２０（Ｂ）に送信する（Ｓ５４０）。通信制御装置２０（Ｂ）は、ＳＵＢＳＣＲＩＢＥ−２０２Ａｃｃｅｐｔｅｄメッセージを受信した後（Ｓ５１０）、通信制御装置２０（Ａ）に対して、ＮＯＴＩＦＹ−２００ＯＫメッセージ（（ｐｒｅｓｅｎｃｅ）ｓｔａｔｅ＝ｐｅｎｄｉｎｇ）を送信する（Ｓ５３０）。
【００４７】
そして、通信制御装置２０（Ａ）は、ＮＯＴＩＦＹ−２００ＯＫメッセージを受信した後（Ｓ５３０）、ＮＯＴＩＦＹ−２００ＯＫメッセージ（（ｅｖｅｎｔｌｉｓｔ）ｓｔａｔｅ＝ｐｅｎｄｉｎｇ）を通信端末１０（Ａ）に送信する（Ｓ５３５）。続いて、通信制御装置２０（Ｂ）は、通信端末１０（Ｂ）から、ＸＣＡＰ  ＰＵＴ−２００ＯＫメッセージを受信した後（Ｓ５４０）、通信制御装置２０（Ａ）に対してＮＯＴＩＦＹ−２００ＯＫメッセージ（（ｐｒｅｓｅｎｃｅ）ｓｔａｔｅ＝ａｃｔｉｖｅ）を通信制御装置２０（Ａ）に送信する（Ｓ５４５）。そして、通信制御装置２０（Ａ）は、通信端末１０（Ａ）に、ＮＯＴＩＦＹ−２００ＯＫメッセージ（（ｅｖｅｎｔｌｉｓｔ）ｓｔａｔｅ＝ａｃｔｉｖｅ）を送信する（Ｓ５５０）。通信制御装置２０（Ａ）からＮＯＴＩＦＹ−２００ＯＫメッセージ（ｓｔａｔｅ＝ａｃｔｉｖｅ）を受信した通信端末１０（Ａ）は、許可応答通知を通信端末１０（Ａ）のユーザに通知する（Ｓ５５５）。これにより、登録が完了する。
【００４８】
一方、通信制御装置２０（Ｂ）は、通信端末１０（Ｂ）から、ＸＣＡＰ  ＰＵＴ−２００ＯＫメッセージを受信した後（Ｓ５４０）、ＳＵＢＳＣＲＩＶＥ−２００ＯＫメッセージ（ｐｒｅｓｅｎｃｅ）を通信制御装置２０（Ａ）に送信する（Ｓ５６０）。通信制御装置２０（Ｂ）は、通信制御装置２０（Ａ）からＳＵＢＳＣＲＩＶＥ−２００ＯＫメッセージを受信した後、通信制御装置２０（Ｂ）にＮＯＴＩＦＹ−２００ＯＫメッセージ（（ｐｒｅｓｅｎｃｅ）ｓｔａｔｅ＝ａｃｔｉｖｅ）を送信するとともに（Ｓ５６５）、通信端末１０（Ａ）に対してＮＯＴＩＦＹ−２００ＯＫメッセージ（（ｗｉｎｆｏ）ｓｔａｔｅ＝ａｃｔｉｖｅ）を送信する（Ｓ５７０）。そして、通信制御装置２０（Ｂ）は、通信制御装置２０（Ａ）からＮＯＴＩＦＹ−２００ＯＫメッセージを受信した後、ＮＯＴＩＦＹ−２００ＯＫメッセージ（（ｅｖｅｎｔｌｉｓｔ）ｓｔａｔｅ＝ａｃｔｉｖｅ）を通信端末１０（Ｂ）に送信する（Ｓ５７５）。通信端末１０（Ｂ）は、当該ＮＯＴＩＦＹ−２００ＯＫメッセージを受信した後、通信端末１０（Ｂ）のユーザに許可応答通知する（Ｓ５８０）。これにより登録が完了する。
【００４９】
図６は、本実施形態に係る通信制御装置２０における処理の流れの一例を示す。具体的には、通信制御装置２０が、プレゼンスサーバ２４および／またはＳＩＰサーバ２２である場合において、通信制御装置２０が備える制御側ブロックリストが保持できるブロックルール（例えば、禁止情報）の数の限度を超過した場合の処理の流れの一例を示す。通信制御装置２０は、通信端末１０の他の通信端末１０からの登録要求に応じて、ＮＯＴＩＦＹ−２００ＯＫメッセージ（（ｗｉｎｆｏ）ｓｔａｔｅ＝ｐｅｎｄｉｎｇ）を通信端末１０に送信する（Ｓ６００）。通信端末１０は、当該ＮＯＴＩＦＹ−２００ＯＫメッセージを受信した場合に、通信端末１０のユーザに登録要求を通知する（Ｓ６０５）。
【００５０】
ここで、通信端末１０のユーザが登録要求を拒否すべく、"Ｎｏ"を選択した場合には（Ｓ６１０）、通信端末１０は、通信制御装置２０にＸＣＡＰ  ＰＵＴメッセージ（ＡＵＩＤ＝ｐｒｅｓ−ｒｕｌｅｓ、Ａ'ｓ"ｓｕｂ−ｈａｎｄｌｉｎｇ"＝"ｂｌｏｃｋ"）を送信する（Ｓ６１５）。具体的には、通信端末１０は、当該ＸＣＡＰ  ＰＵＴメッセージに、新規のブロックルール、および既存のブロックルールを含めた情報を通信制御装置２０に送信する。例えば、通信端末１０は、通信端末１０が備える端末側ブロックリストに既に記録されているブロックルールに、ユーザが登録要求を拒否した通信端末１０の他の通信端末１０の端末識別情報に対応づけて新たなブロックルールを記録する。
【００５１】
通信制御装置２０は、制御側ブロックリストが保持できるブロックルールの限度を超過しているか否かを判断して、限度を超過していると判断した場合には、制御側ブロックリストがブロックルールを記録できないことを示すエラーメッセージである、４０９  Ｃｏｎｆｌｉｃｔ"Ｄｏｃｕｍｅｎｔ  ｔｏｏ  ｌａｒｇｅ"メッセージを通信端末１０に送信する（Ｓ６２０）。通信端末１０は、当該エラーメッセージを受信した場合に、通信端末１０が保持しているブロックルールのうち、最も古いブロックルールを削除した情報を、改めてＸＣＡＰ  ＰＵＴメッセージ（ＡＵＩＤ＝ｐｒｅｓ−ｒｕｌｅｓ、Ａ'ｓ"ｓｕｂ−ｈａｎｄｌｉｎｇ"＝"ｂｌｏｃｋ"）に含めて通信制御装置２０に送信する。そして、通信制御装置２０は、通信制御装置２０が備える制御側ブロックリストにブロックルールを記録して、記録が完了した確認情報である２００ＯＫメッセージを通信端末１０に送信する（Ｓ６３０）。
【００５２】
図７は、本実施形態に係る通信端末１０における処理の流れの一例を示す。具体的には、通信端末１０備える端末側ブロックリストが保持できるブロックルール（例えば、禁止情報）の数の限度を超過した場合の処理の流れの一例を示す。まず、通信制御装置２０は、通信端末１０の他の通信端末１０からの登録要求に応じて、ＮＯＴＩＦＹ−２００ＯＫメッセージ（（ｗｉｎｆｏ）ｓｔａｔｅ＝ｐｅｎｄｉｎｇ）を通信端末１０に送信する（Ｓ７００）。通信端末１０は、当該ＮＯＴＩＦＹ−２００ＯＫメッセージを受信した場合に、通信端末１０のユーザに登録要求を通知する（Ｓ７０５）。
【００５３】
そして、通信端末１０のユーザが登録要求を拒否すべく、"Ｎｏ"を選択した場合には（Ｓ７１０）、通信端末１０は、通信制御装置２０にＸＣＡＰ  ＰＵＴメッセージ（ＡＵＩＤ＝ｐｒｅｓ−ｒｕｌｅｓ、Ａ'ｓ"ｓｕｂ−ｈａｎｄｌｉｎｇ"＝"ｂｌｏｃｋ"）を送信するとともに（Ｓ７１５）、通信端末１０は、通信端末１０が備える端末側ブロックリストに、ユーザが登録要求を拒否した通信端末１０の他の通信端末１０の端末識別情報に対応づけて新たなブロックルールを記録する。ここで、端末側ブロックリストが記録できるブロックルールの数の限度に達している場合には、通信端末１０は、通信端末１０が保持しているブロックルールのうち、最も古いブロックルールを削除する。そして、通信端末１０は、ユーザが登録要求を拒否した通信端末１０の他の通信端末１０の端末識別情報に対応づけて、新たなブロックルールを端末側ブロックリストに記録する。
【００５４】
図８は、他の実施形態に係る通信端末１０の概要を示す。通信端末１０は外部の通信制御装置２０に登録された通信設定に基づいて通信が制御される通信端末１０である。通信端末１０は、通信データの送受信を行う通信端末であって、具体的には、携帯電話端末である。例えば、通信端末１０は、半二重通信方式であるＰＴＴ通信方式で音声データのパケット通信を行う携帯電話端末であってもよい。また、通信端末１０は、通信データの送受信を行う機能を有する、ノートパソコン、ＰＤＡ、ゲーム機等の携帯情報端末、およびデスクトップ型ＰＣであってもよい。
【００５５】
本実施形態に係る通信端末１０は、当該通信端末１０が圏外にいる場合に、他の通信端末１０からコンタクトリストへの登録要求に対する応答をするときに、応答内容を記録して、当該通信端末１０が圏内に復帰したときに記録した応答内容を通信制御装置２０に送信することを目的とする。
【００５６】
まず、通信端末１０（Ａ）が、通信中継装置３０（Ａ）およびネットワーク４０を介して、通信制御装置２０の一例であるプレゼンスサーバ２４に、通信端末１０（Ｂ）のプレゼンス情報の提供を要求する要求情報を送信する（Ｓ２００）。なお、プレゼンス情報はステータス情報の一例である。プレゼンスサーバ２４は、受信した通信端末１０（Ａ）を識別する端末識別情報、例えば、通信端末１０（Ａ）の電話番号が、通信端末１０（Ｂ）を識別する端末識別子に対応づけてブロックリストに記録されていないと判断した場合には、通信端末１０（Ａ）が送信した登録要求を通信端末１０（Ｂ）に通知する（Ｓ２０２）。
【００５７】
通信端末１０（Ｂ）は、プレゼンスサーバ２４が通知した要求情報をユーザに通知して、ユーザに当該要求情報を許可するか、あるいは拒否するかのいずれかを選択させる。ユーザが当該要求情報に対して拒否することを選択した場合、通信端末１０（Ｂ）は、プレゼンス情報を通信端末１０（Ａ）に提供させないことを示す禁止情報をプレゼンスサーバ２４に送信する。プレゼンスサーバ２４は、通信端末１０（Ｂ）から受信した禁止情報を、通信端末１０（Ａ）を識別する端末識別子に対応づけて、予め定められた時間、記録する。これにより、当該予め定められた時間内に通信端末１０（Ａ）が、再度、通信端末１０（Ａ）に対して要求情報を送信した場合であっても、プレゼンスサーバ２４から通信端末１０（Ａ）に対して、プレゼンス情報を参照できないことを示す通知が自動的になされる（Ｓ２０６）。
【００５８】
ここで、通信端末１０（Ｂ）において、ユーザが通信端末１０（Ａ）からの要求情報に対して許可、または拒否することを選択したときに、通信端末１０（Ｂ）が圏外に存在していた場合を考える。すなわち、通信端末１０（Ｂ）が、通信端末１０（Ｂ）とプレゼンスサーバ２４との間の通信を中継する通信中継装置３０（Ｂ）からの電磁波の強度が予め規定した基準値より小さいことにより通信できない状態である場合には、通信端末１０（Ｂ）は、プレゼンスサーバ２４に送信すべき通信設定情報を記録する。そして、通信端末１０（Ｂ）が圏内に復帰したときに、記録していた通信設定情報を自動的にプレゼンスサーバ２４に送信する（Ｓ２０４）。これにより、ユーザが、通信端末１０（Ｂ）が圏内に存在するのか、圏内に存在するのかを把握することなく、プレゼンスサーバ２４に通信設定情報を自動的に送信して、登録させることができる。
【００５９】
ここで、通信端末１０（Ｂ）は、プレゼンスサーバ２４に送信すべき通信設定情報を記録したときに、通信端末１０（Ｂ）のユーザに対して、当該通信設定情報がプレゼンスサーバ２４にユーザの操作なしに自動的に送信されることを示すメッセージを、表示部１７２に表示する。例えば、通信端末１０（Ｂ）が、通信端末１０（Ａ）から登録要求を受信した後に圏外に移動して、ユーザが登録要求を拒否することを選択した場合には、表示部１７２は、"拒否登録を受け付けました。"と表示する。また、通信端末１０（Ｂ）が、通信端末１０（Ａ）から登録要求を受信して、圏内に存在したまま受信した登録要求を拒否することを選択した場合には、通信端末１０（Ｂ）から通信設定情報を送信したときにおいても、表示部１７２は"拒否登録を受け付けました。"と表示する。
【００６０】
これにより通信端末１０（Ｂ）のユーザは、通信端末１０（Ａ）からの登録要求を通信端末１０（Ｂ）が自動的に拒否する状態に自動的に設定されることを把握できるので、通信端末１０（Ｂ）が圏内に遷移した後に改めて、通信端末１０（Ａ）からの登録要求に対してユーザが拒否登録する必要がないということを容易に認識できる。
【００６１】
図９は、他の実施形態に係る通信端末１０の機能構成の一例を示す。通信端末１０は、通信設定取得部１００、通信設定情報記録部１１０、送信制御部１２０、通信設定情報送信部１３０、通信可否判断部１４０、電界強度監視部１５０、ユーザインターフェース制御部１６０、およびユーザインターフェース部１７０を備え、ユーザインターフェース部１７０は、表示部１７２および音声出力部１７４を有する。なお、通信端末１０は、図１から図７の上記説明において説明した通信制御装置２０の機能および構成の一部または全部を更に備えていてもよい。
【００６２】
通信設定取得部１００は、ユーザが指示した当該通信端末１０の通信設定を示す通信設定情報を取得する。通信設定情報は、例えば、ユーザのステータスを示すステータス情報を、当該通信端末１０の他の通信端末１０への提供を禁止することを示す禁止情報である。また、通信設定情報は、ステータス情報を他の通信端末１０への提供を許可することを示す許可情報であってもよい。更に、通信設定情報は、転送設定および留守番電話設定等の通信端末１０における通信に付加される通信サービスを設定する情報であってもよい。例えば、通信設定取得部１００は、通信制御装置２０に、ユーザが指示した端末識別情報に対応づけて禁止情報を登録させることを示す通信設定を取得する。通信設定取得部１００は、取得した通信設定情報を通信設定情報記録部１１０および送信制御部１２０に供給する。
【００６３】
なお、通信制御装置２０には、他の通信端末１０を識別する端末識別情報に対応づけて、ステータス情報の提供を許可することを示す許可情報、またはステータス情報の提供を禁止することを示す禁止情報を登録されている。そして、通信制御装置２０は、許可情報に対応づけられた他の通信端末１０には、当該通信端末１０のステータス情報を送信する。一方、通信制御装置２０は、禁止情報に対応づけられた他の通信端末１０には、当該通信端末１０のステータス情報を送信しない。なお、ステータス情報は、例えば、当該通信端末１０のプレゼンス情報である。
【００６４】
電界強度監視部１５０は、当該通信端末１０と通信制御装置２０との間の通信を中継する外部の通信中継装置３０からの電磁波の電界強度を監視する。電界強度監視部１５０は、通信中継装置３０からの電磁波の電界強度を示す情報を、通信可否判断部１４０に供給する。通信可否判断部１４０は、当該通信端末１０と通信制御装置２０との通信の可否を判断する。具体的には、通信可否判断部１４０は、電界強度監視部１５０から受け取った電磁波の電界強度を示す情報を解析して、電界強度監視部１５０が監視している電界強度が予め定められた基準値を超えた場合に、当該通信端末１０と通信制御装置２０とが通信できると判断する。通信可否判断部１４０は、判断結果を通信設定情報記録部１１０、送信制御部１２０、およびインターフェース制御部１６０に供給する。
【００６５】
通信設定情報記録部１１０は、当該通信端末１０と通信制御装置２０とが通信できないと通信可否判断部１４０が判断した場合に、通信設定取得部１００が取得した通信設定情報を記録する。すなわち、通信設定情報記録部１１０は、通信可否判断部１４０から受け取った判断結果が、当該通信端末１０と通信制御装置２０とが通信できないことを示す場合に、通信設定取得部１００から取得した通信設定情報を記録する。通信設定情報記録部１１０は、記録した通信設定情報を送信制御部１２０に制御され、送信制御部１２０に供給する。
【００６６】
送信制御部１２０は、通信設定情報記録部１１０が通信設定情報を記録した後に、当該通信端末１０と通信制御装置２０とが通信できると通信可否判断部１４０が判断した場合に、通信設定情報記録部１１０が記録している通信設定情報を通信設定情報送信部１３０から通信制御装置２０へ送信させることにより、通信制御装置２０に登録させる。送信制御部１２０は、通信設定情報を通信設定情報送信部１３０から送信させるか否かを示す情報をインターフェース制御部１６０に供給する。
【００６７】
通信設定情報送信部１３０は、当該通信端末１０と通信制御装置２０とが通信できると通信可否判断部１４０が判断した場合に、通信設定取得部１００が取得した通信設定情報を、通信制御装置２０に送信することにより、通信制御装置２０に登録させる。具体的には、通信設定情報送信部１３０は、通信設定取得部１００が取得した通信設定情報を、通信制御装置２０に送信することにより、通信制御装置２０に、ユーザが指示した端末識別情報に対応づけて禁止情報を登録させる。
【００６８】
ユーザインターフェース部１７０は、ユーザが当該通信端末１０の通信設定を指示しているときに、当該通信端末１０に対するユーザの操作を支援する。そして、ユーザインターフェース制御部１６０は、当該通信端末１０と通信制御装置２０とが通信できると通信可否判断部１４０が判断したときに、通信設定情報送信部１３０が通信設定情報を通信制御装置２０に送信する場合と、当該通信端末１０と通信制御装置２０とが通信できないと通信可否判断部１４０が判断したときに、通信設定情報記録部１１０が通信設定情報を記録する場合とで、ユーザインターフェース部１７０からユーザに対して同一の通知を行わせる。
【００６９】
具体的には、ユーザインターフェース部１７０は、当該通信端末１０に対するユーザの操作を支援する内容を表示する表示部１７２を有する。そして、インターフェース制御部１６０は、当該通信端末１０と通信制御装置２０とが通信できると通信可否判断部１４０が判断したときに、通信設定情報送信部１３０が通信設定情報を通信制御装置２０に送信した場合と、当該通信端末１０と通信制御装置２０とが通信できないと通信可否判断部１４０が判断したときに、通信設定情報記録部１１０が通信設定情報を記録した場合とで、表示部１７２に同一の表示データを表示させる。
【００７０】
また、ユーザインターフェース部１７０は、当該通信端末１０に対するユーザの操作を支援する内容を音声で通知する音声出力部１７４を有する。そして、インターフェース制御部１６０は、当該通信端末１０と通信制御装置２０とが通信できると通信可否判断部１４０が判断したときに、通信設定情報送信部１３０が通信設定情報を通信制御装置２０に送信した場合と、当該通信端末１０と通信制御装置２０とが通信できないと通信可否判断部１４０が判断したときに、通信設定情報記録部１１０が通信設定情報を記録した場合とで、音声出力部１７４に同一の音声データを出力させてもよい。
【００７１】
更に、通信端末１０は、当該通信端末１０に電源が投入されたときに、他の通信端末１０のプレゼンス情報を表示部１７２に一覧表示させてユーザに参照させるとともに、当該通信端末１０のプレゼンス情報をプレゼンスサーバ２４に定期的に自動で送信する、プレゼンス処理ユニットを更に備えていてよい。
【００７２】
プレゼンス処理ユニットは、プレゼンスサーバ２４に働きかけて通信端末１０とは異なる他の複数の通信端末１０のプレゼンス情報を取得するプレゼンス情報取得部と、当該通信端末１０のプレゼンス情報をプレゼンスサーバ２４に送信してプレゼンスサーバ２４に記録させるプレゼンス情報送信部と、当該通信端末１０に電源が投入されたときに、当該通信端末１０においてプレゼンス情報の利用および当該通信端末１０のプレゼンス情報の提供を可能とすべく、予め定められた手順が記録された起動条件記録部と、当該通信端末１０に電源が投入されたときに、自動的にプレゼンス情報取得部、プレゼンス情報送信部、および起動条件記録部のそれぞれに電力を供給して、それぞれを起動させる自動起動部とを有する。
【００７３】
具体的には、通信端末１０に電源が投入されると、自動起動部が電源の投入を検知してプレゼンス情報取得部、プレゼンス情報送信部、および起動条件記録部をそれぞれ起動させる。起動条件記録部には、例えば、当該通信端末１０においてプレゼンス情報の利用が可能となるべく、ＩＭＳ（ＩＰ  Ｍｕｌｔｉｍｅｄｉａ  Ｓｕｂｓｙｓｔｅｍ）設定がＯＮであり、ネットワーク自動調整が実施されており、かつ、ネットワークアベイラビリティが提供中である場合に、自動的にプレゼンス情報の取得／提供を実行する、自動起動条件が記録されている。
【００７４】
自動起動部は、起動条件記録部が記録している自動起動条件を満たしていると判断した場合に、自動的にプレゼンス情報取得部に他の複数の通信端末１０のプレゼンス情報を取得させ、プレゼンス情報送信部に当該通信端末１０のプレゼンス情報を自動的にプレゼンスサーバ２４に送信させる。係る構成により、通信端末１０は、他の通信端末１０のプレゼンス情報の取得、および当該通信端末１０のプレゼンス情報のプレゼンスサーバ２４への通知を、当該通信端末１０に電源が投入されるだけで自動的に実行できる。また、自動起動部は、Ｗａｔｃｈｅｒ情報の取得、およびＰＴＴ通信方式に関して、Ｐｏｃ（Ｐｕｓｈ  ｔｏ  Ｔａｌｋ  ｏｖｅｒ  Ｃｅｌｌｕｌａｒ）  Ｓｅｔｔｉｎｇの送信を自動的に実行してもよい。
【００７５】
これにより、通信端末１０は、通信端末１０に電源が投入されて待受け状態になった状態で、自動的にプレゼンスサービスおよびＰＴＴ通信サービスを受けることができる状態に、当該通信端末１０の状態を遷移させることができる。
【００７６】
本実施形態に係る通信端末１０によれば、所定の通信設定情報を当該通信端末１０においてユーザが設定したときに、当該通信端末１０が圏外にいた場合であっても、設定内容を記録しておき、当該通信端末１０が圏内に復帰した場合に記録しておいた設定内容を、通信制御装置２０に自動的に送信して登録させることができる。これにより、当該通信端末１０のユーザは、当該通信端末１０が圏内に復帰したか否かを常時確認することを要さず、ユーザが所望する通信設定情報を、通信制御装置２０に自動的に登録させることができる。
【００７７】
図１０は、他の実施形態に係る通信端末１０における処理の流れの一例を示す。まず、通信端末１０とは異なる他の通信端末１０から通信端末１０のステータス情報の提供を要求する要求情報が通信制御装置２０に送信された場合、通信制御装置２０は、通信端末１０に対してＮＯＴＩＦＹ−２００ＯＫメッセージ（（ｗｉｎｆｏ）ｓｔａｔｅ＝ｐｅｎｄｉｎｇ）を送信する（Ｓ１０００）。通信端末１０は、当該ＮＯＴＩＦＹ−２００ＯＫメッセージを受信した場合に、当該通信端末１０のユーザに登録要求を通知する（Ｓ１００５）。当該登録要求に対して、当該ユーザが"Ｎｏ"を選択した場合（Ｓ１０１０）、通信端末１０は、通信端末１０が備えるブロックリストに禁止情報を記録する（Ｓ１０２５）。
【００７８】
そして、通信端末１０は、通信制御装置２０に対して、ＸＣＡＰ  ＰＵＴ−２００ＯＫメッセージ（ＡＵＩＤ＝ｐｒｅｓ−ｒｕｌｅｓ、Ａ'ｓ"ｓｕｂ−ｈａｎｄｌｉｎｇ"＝"ｂｌｏｃｋ"）を送信する（Ｓ１０１５）。通信制御装置２０は、当該ＸＣＡＰ  ＰＵＴ−２００ＯＫメッセージを受信した場合に、通信制御装置２０が備えるブロックリストに、他の通信端末１０の端末識別情報に対応づけて禁止情報を記録する。これにより、通信制御装置２０および通信端末１０の双方において、通信端末１０のユーザが登録要求を拒否した他の通信端末１０の端末識別情報をブロックリストに記録できるので、当該他の通信端末１０が再度登録要求を送信した場合に、確実に当該他の通信端末１０からの登録要求を拒否できる。
【００７９】
図１１は、他の実施形態に係る通信端末１０における処理の流れの一例を示す。まず、通信端末１０とは異なる他の通信端末１０から通信端末１０のステータス情報の提供を要求する要求情報が通信制御装置２０に送信された場合、通信制御装置２０は、通信端末１０に対してＮＯＴＩＦＹ−２００ＯＫメッセージ（（ｗｉｎｆｏ）ｓｔａｔｅ＝ｐｅｎｄｉｎｇ）を送信する（Ｓ１１００）。通信端末１０は、当該ＮＯＴＩＦＹ−２００ＯＫメッセージを受信した場合に、当該通信端末１０のユーザに登録要求を通知する（Ｓ１１５５）。
【００８０】
ここで、通信端末１０が圏外に移動した場合において（Ｓ１１２０）、当該登録要求に対して、当該ユーザが"Ｎｏ"を選択した場合（Ｓ１１２５）、通信端末１０は、他の通信端末１０の端末識別情報に対応づけて禁止情報を記録する。そして、通信端末１０が圏内に復帰した場合に（Ｓ１１３０）、通信端末１０は、通信制御装置２０にＸＣＡＰ  ＰＵＴ−２００ＯＫメッセージ（ＡＵＩＤ＝ｐｒｅｓ−ｒｕｌｅｓ、Ａ'ｓ"ｓｕｂ−ｈａｎｄｌｉｎｇ"＝"ｂｌｏｃｋ"）を送信する（Ｓ１１４０）。すなわち、通信端末１０が圏内に復帰したことを契機として、通信制御装置２０のブロックリストに禁止情報を記録する。
【００８１】
ここで、通信端末１０が圏内に復帰した直後に通信制御装置２０から登録要求が送信された場合であっても、通信端末１０は、禁止情報を記録しているので、当該登録要求に対して処理をしない。すなわち、通信端末１０が圏内に復帰した直後に、通信制御装置２０からＮＯＴＩＦＹ−２００ＯＫメッセージ（（ｗｉｎｆｏ）ｓｔａｔｅ＝ｐｅｎｄｉｎｇ）を受信した場合であっても（Ｓ１１３５）、通信端末１０は他の通信端末１０からの登録要求は受け付けないことを示す禁止情報を記録しているので、何ら処理を行わない。
【００８２】
図１２は、本実施形態に係る通信端末１０および他の実施形態に係る通信制御装置２０のハードウェア構成の一例を示す。本実施形態に係る通信端末１０および通信制御装置２０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェース１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００８３】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００８４】
入出力コントローラ１５８４は、ホスト・コントローラ１５８２と、比較的高速な入出力装置である通信インターフェース１５３０、ハードディスクドライブ１５４０、ＣＤ−ＲＯＭドライブ１５６０を接続する。通信インターフェース１５３０は、ネットワークを介して他の装置と通信する。ハードディスクドライブ１５４０は、通信端末１０および通信制御装置２０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【００８５】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、通信端末１０および通信制御装置２０が起動時に実行するブート・プログラム、通信端末１０および通信制御装置２０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００８６】
ＲＡＭ１５２０を介してハードディスクドライブ１５４０に提供される通信プログラムおよび通信制御プログラムは、フレキシブルディスク１５９０、ＣＤ−ＲＯＭ１５９５、またはＩＣカード等の記録媒体に格納されて利用者によって提供される。通信プログラムおよび通信制御プログラムは、記録媒体から読み出され、ＲＡＭ１５２０を介して通信端末１０および通信制御装置２０内のハードディスクドライブ１５４０にインストールされ、ＣＰＵ１５０５において実行される。通信端末１０および通信制御装置２０にインストールされて実行される通信プログラムおよび通信制御プログラムは、ＣＰＵ１５０５等に働きかけて、通信端末１０および通信制御装置２０を、図１から図１１にかけて説明した通信設定取得部１００、通信設定情報記録部１１０、送信制御部１２０、通信設定情報送信部１３０、通信可否判断部１４０、電界強度監視部１５０、ユーザインターフェース制御部１６０、ユーザインターフェース部１７０、提供要求受信部２００、応答選択制御部２１０、登録情報記録部２２０、応答通知部２３０、応答取得部２４０、通知制御部２５０、禁止情報消去部２６０、および時間計測部２７０として機能させる。
【００８７】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００８８】
【図１】通信制御装置２０の概要図である。
【図２】通信制御装置２０の機能構成を示すブロック図である。
【図３】禁止情報記録部２２２のデータ構造を示す図である。
【図４】通信端末１０および通信制御装置２０における処理の流れを示すシーケンス図である。
【図５】通信端末１０および通信制御装置２０における処理の流れを示すシーケンス図である。
【図６】通信制御装置２０における処理の流れを示すシーケンス図である。
【図７】通信端末１０における処理の流れを示すシーケンス図である。
【図８】通信端末１０の概要図である。
【図９】通信端末１０の機能構成を示すブロック図である。
【図１０】通信端末１０における処理の流れを示すシーケンス図である。
【図１１】通信端末１０における処理の流れを示すシーケンス図である。
【図１２】通信端末１０および通信制御装置２０のハードウェア構成を示すブロック図である。
【符号の説明】
【００８９】
１０  通信端末
２０  通信制御装置
２２  ＳＩＰサーバ
２４  プレゼンスサーバ
３０  通信中継装置
４０  ネットワーク
１００  通信設定取得部
１１０  通信設定情報記録部
１２０  送信制御部
１３０  通信設定情報送信部
１４０  通信可否判断部
１５０  電界強度監視部
１６０  インターフェース制御部
１７０  ユーザインターフェース部
１７２  表示部
１７４  音声出力部
２００  提供要求受信部
２１０  応答選択制御部
２２０  登録情報記録部
２２２  禁止情報記録部
２２４  許可情報記録部
２３０  応答通知部
２４０  応答取得部
２５０  通知制御部
２６０  禁止情報消去部
２７０  時間計測部
４００、４１０  アイコン
１５０５  ＣＰＵ
１５１０  ＲＯＭ
１５２０  ＲＡＭ
１５３０  通信インターフェース
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2008104086.tif 000003
【図２】
2008104086.tif 000004
【図３】
2008104086.tif 000005
【図４】
2008104086.tif 000006
【図５】
2008104086.tif 000007
【図６】
2008104086.tif 000008
【図７】
2008104086.tif 000009
【図８】
2008104086.tif 000010
【図９】
2008104086.tif 000011
【図１０】
2008104086.tif 000012
【図１１】
2008104086.tif 000013
【図１２】
2008104086.tif 000014